(57)【要約】【課題】  遊技球の流下方向の一部を択一的に変更することができるように構成し、かつそのように変更する動作自体が遊技者に対して興趣を与えることができるようにした弾球遊技機。【解決手段】  遊技盤１の一部に、表面に第１遊技面を有し、裏面に第２遊技面を有している部分遊技盤４０が、第１遊技面又は第２遊技面を遊技盤の遊技面と同一の遊技面を形成するように表裏反転可能に設けられており、第１遊技面及び第２遊技面には、第１遊技面と第２遊技面とで部分遊技盤上での遊技球の流下方向が異なるように障害物４５が設けられている【選択図】図３
2010274052.tif 000002
【特許請求の範囲】
【請求項１】
遊技盤の一部に、表面に第１遊技面を有し、裏面に第２遊技面を有している部分遊技盤が、前記第１遊技面又は前記第２遊技面を前記遊技盤の遊技面と同一の遊技面を形成するように表裏反転可能に設けられており、
前記第１遊技面及び前記第２遊技面には、前記第１遊技面と前記第２遊技面とで前記部分遊技盤上での遊技球の流下方向が異なるように障害物が設けられていることを特徴とする弾球遊技機。
【請求項２】
請求項１において、前記障害物が、前記第１遊技面と前記第２遊技面とでは、前記部分遊技盤の下方に設けられた入賞口に対し遊技球の入賞しやすい流下方向と、遊技球の入賞しにくい流下方向とに流下方向が異なるように設けられていることを特徴とする弾球遊技機。
【請求項３】
請求項１ないし２において、当該弾球遊技機の遊技状態に応じて、前記部分遊技盤の前記第１遊技面又は前記第２遊技面を選択するように前記部分遊技盤が表裏反転駆動されることを特徴とする弾球遊技機。
【発明の詳細な説明】
【技術分野】
【０００１】
本発明は、パチンコ遊技機等の弾球遊技機に関し、特に、遊技盤上を流下する遊技球の流下方向を変更する障害物を有する弾球遊技機に関するものである。
【背景技術】
【０００２】
弾球遊技機において、図９に示すように、遊技盤１上のレール８ａ、８ｂに囲まれた遊技領域９内の略中央に役物装置２を有する弾球遊技機が知られている。
該役物装置２は、全体が外枠部３に囲まれており、その内部中央には液晶表示装置４が設けられている。また、該外枠部３の下部には遊技球を一時的に転動させるステージ５、側部には遊技球を該ステージ５上に案内する流入口６が設けられている。
また、該役物装置２の下方には、始動入賞口１０ａが配置されており、さらにその下方には大入賞口（いわゆるアタッカー）１１が配置されている。遊技領域内９内には、他に一般入賞口１０ｂも配置されている
また、風車１２や障害釘１３等が遊技盤上に適宜配置され、上方から流下する遊技球の流下方向に変化を与えている。
さらに、最下方には、上記したどの入賞口にも入賞しなかった遊技球を回収するアウト口１４が配置されている。
【０００３】
このような遊技機では、遊技者が球発射ハンドル７を操作することにより、遊技球はレール８ａ、８ｂで囲まれた発射通路を通り、遊技領域９内に発射される。
発射された遊技球が該始動入賞口１０ａに入賞すると、その入賞に伴って抽せんが行われ、その抽せん結果は、遊技機右下部に設けられた特別図柄表示装置１２に表示される。
この抽せん結果を表示するにあたり、該液晶表示装置４における映像演出が併せて行われ、これらにより、遊技者に対し当せんに対する期待感を一層醸成させている。
そして、該抽せんに当せんすると遊技者に有利な遊技状態である特別遊技状態に移行し、大入賞口１１が大きく開口する。開口した該大入賞口１１には、容易に遊技球を多数入賞させることができるので、遊技者は大量の賞球を得ることができる。
【０００４】
したがって、遊技機をこのような特別遊技状態に移行させるためには、まずは遊技球を該始動入賞口１０ａに入賞させなければならない。
前記したように、遊技領域の上方から流下する遊技球は、流下途中に設けられる障害釘や風車によって、その流下方向が変更される。したがって、該障害釘や風車の配列は、遊技者にとって、遊技球を該始動入賞口１０ａに入賞させるための重要な要素となる。
しかし、これらはいずれも遊技盤に固定されているので、常に同一方向にしか遊技球の流下方向を変更することができない。
そこで、遊技球の流下方向を遊技状態に応じて変更するために、障害釘の遊技盤面からの突出角度を変更する構成（特許文献１）や、複数の障害釘が立設された一部の遊技領域を遊技盤に平行に回転させる構成（特許文献２）が提案されている。
【先行技術文献】
【特許文献】
【０００５】
【特許文献１】特開平２００３−３２５７９６号公報
【特許文献２】特開平２００８−３２００９５号公報
【発明の概要】
【発明が解決しようとする課題】
【０００６】
しかしながら、これら従来例においては、遊技盤の表面上に設けられた障害釘１３を、該遊技盤面に平行に回動させる構成であるため、回転に伴って障害釘の配置が変更されるとしても、遊技球の流下方向の変更度合いには限度がある。
【０００７】
本発明はこの点に鑑みなされたものであり、遊技球の流下方向を択一的に変更することができるように構成することにより、遊技球の流下方向を、より任意に変更することができ、かつそのように変更する動作自体が遊技者に対して興趣を与えることができるようにした弾球遊技機を提供する。
【課題を解決するための手段】
【０００８】
本発明は、上述した目的を達成する解決手段として、遊技盤の一部に、表面に第１遊技面を有し、裏面に第２遊技面を有している部分遊技盤が、前記第１遊技面又は前記第２遊技面を前記遊技盤の遊技面と同一の遊技面を形成するように表裏反転可能に設けられており、前記第１遊技面及び前記第２遊技面には、前記第１遊技面と前記第２遊技面とで前記部分遊技盤上での遊技球の流下方向が異なるように障害物が設けられていることを特徴とする弾球遊技機である。
【０００９】
また本発明は、前記障害物が、前記第１遊技面と前記第２遊技面とでは、前記部分遊技盤の下方に設けられた入賞口に対し遊技球の入賞しやすい流下方向と、遊技球の入賞しにくい流下方向とに流下方向が異なるように設けられていることを特徴とする弾球遊技機である。
【００１０】
さらに、本発明は、当該弾球遊技機の遊技状態に応じて、前記部分遊技盤の前記第１遊技面又は前記第２遊技面を選択するように前記部分遊技盤が表裏反転駆動されることを特徴とする弾球遊技機である。
【発明の効果】
【００１１】
本発明における弾球遊技機は、部分遊技盤の表裏反転により、流下方向の変更を択一的かつ瞬時に行うことができるので、流下方向の変更の自由度が一層向上する。
また、流下方向の変更を遊技球が入賞口へ入賞しやすい方向と、入賞しにくい方向とに瞬時に変更することができるので、遊技者に対し興趣ある遊技機とすることができる。
また、このような流下方向の選択を、例えば遊技者に対し有利となる特別遊技状態においては該部分遊技盤の裏面にある第２遊技面を選択させるようにするなど、遊技状態に対応させることにより、遊技の興趣を一層高めることができる。
さらに、該遊技盤面を透明基板で形成すると、遊技者は、このような部分遊技盤の表裏反転を透明な遊技盤面を通して観察することができるので、流下方向の変更への期待感を醸成することができるから、遊技の興趣を一層高めることができる。
【図面の簡単な説明】
【００１２】
【図１】本発明の実施例１に係る弾球遊技機の部分斜視図（一部断面図）。
【図２】本発明の実施例１に係る遊技盤の側面断面図（図１のＡ−Ａ断面図）。
【図３】本発明の実施例１に係る遊技盤の上面断面図（図１のＢ−Ｂ断面図）。
【図４】本発明の実施例１に係る部分遊技盤の表裏反転動作説明図。
【図５】本発明の実施例１に係る部分遊技盤の障害釘配列例（低確率中）を示す図。
【図６】本発明の実施例１に係る部分遊技盤の障害釘配列例（高確率中）を示す図。
【図７】本発明の実施例２に係る遊技盤の上面断面図。
【図８】本発明の実施例２に係る部分遊技盤の表裏反転動作説明図。
【図９】従来例に係る弾球遊技機の正面図。
【発明を実施するための形態】
【００１３】
本発明の遊技機は、遊技球が流下する遊技領域９の略中央に役物装置２が配置されていおり、該役物装置２の下方には始動入賞口１０ａや、さらにその下方に大入賞口（いわゆるアタッカー）１１が配置されている。遊技領域内９内の遊技盤１上には、他に一般入賞口１０ｂも適宜、配置されている。
そして、該遊技盤１上には風車１２や障害釘１３等が適宜配置され、上方から流下する遊技球の流下方向に変化を与えている。
さらに、最下方には、上記したどの入賞口にも入賞しなかった遊技球を回収するアウト口１４が配置されている。
以上の構成は、図９に示す従来の遊技機の構成と同様である。
【００１４】
本発明では、図１に示すように、該遊技盤１は透明なアクリル板により形成されており、該遊技盤１の遊技者から見て後方には、意匠盤２０が該遊技盤１と所定の間隙を隔てて配置されている。
該意匠盤２０には部分的に様々なイラストが施されており、遊技者は、該イラストを透明な遊技盤１を通して視認することができる。
さらに、該意匠盤２０の後方には、液晶表示装置３０が該意匠盤２０に近接配置されており、遊技者は、該液晶表示装置３０によって表示される映像を、前記遊技盤１を通しても視認することができるように構成されている。
【００１５】
そして、始動入賞口１０ａの上方の遊技盤１の一部領域が切り欠かれて開口部１ａが形成され、該開口部１ａに部分遊技盤４０が設けられている。
該部分遊技盤４０は、図２及び図３に示すように、遊技盤１と同様の厚さを有する部分遊技基盤４１を有し、その表裏には、障害釘４５がそれぞれ設けられている。該部分遊技基盤４１は、遊技盤１と同様の透明アクリル板で形成されている。
遊技球は、該部分遊技基盤４１とガラス面６０との間を通過することができる。
また、該部分遊技盤４０は、回動軸４２により、遊技盤１に表裏反転可能に支持されている。該回動軸４２には駆動ベルト４４が歯合しており、さらに該駆動ベルト４４は意匠盤２０の後方に配置されているモーター４６により駆動可能とされている。
また、図３に示すように、遊技盤１の開口部１ａの、部分遊技盤４０の回動軸４２に対して平行となる部位には、部分遊技基盤４１の左右の側部４１ａに対し進退可能となるように、シャッター４７が設けられている。該シャッター４７にはラック４７ａが形成されており、該ラック４７ａを駆動するため、該ラック４７ａと歯合するピニオン４８ａを有するピニオン軸４８、および該ピニオン軸４８に連動するモーター４９が設けられている。
【００１６】
このように構成されている部分遊技盤４０の表裏を反転させるには、図４に示すように、先ずモーター４９によりピニオン軸４８を回転させてシャッター４７を遊技盤１の方向にスライド後退させ、部分遊技基盤４１の側部４１ａの左右に、部分遊技盤４０を回転させるための回動空間を確保する。
次に、そのように回動空間を確保すると同時に、モーター４６により駆動ベルト４４を駆動し、回動軸４２を回転中心として部分遊技盤４０を矢印方向に回転させる。そのように表裏が回転した段階で、モーター４６の回動を停止し、次にモーター４９を回動してシャッター４７の閉鎖を行い、表裏反転を終了させる。
【００１７】
部分遊技盤４０の表裏は、表面が第１遊技面、裏面が第２遊技面とされており、図５，図６に示すように、それぞれに障害釘４５が設けられているが、その釘配置は、表裏で異なるように設けられている。
つまり、上方から流下する遊技球は、部分遊技盤４０上の該障害釘４５により流下方向をガイドされるが、その流下方向は、表面を上にしている図５に示す場合には、遊技球が始動入賞口に寄りにくくなるように釘配置されており（低確率状態）、裏面を上にしている図６に示す場合には、遊技球が始動入賞口に寄り易くなるように釘配置されている（高確率状態）。
【００１８】
なお、該部分遊技盤４０が回転動作中には、遊技盤１上を上方から流下する遊技球が遊技盤１と意匠盤２０の間に入り込まないように、該部分遊技盤４０の上方に、図１、図２に示すように庇５０が設けられている。
該庇５０を遊技盤１上に突き出すことができるように、該庇５０に連動するソレノイド５１が、意匠盤面２０の裏側に設けられている。
該庇５０は該部分遊技盤４０の横幅とほぼ同様な横幅を有しており、シャッター４７の開放動作前あるいは閉鎖動作後のタイミングで該レノイド５１が駆動し、部分遊技盤４０の上方の遊技盤１上に後方から突き出され、あるいは後方へ格納されるように構成されている。
この構成により、部分遊技盤４０が表裏回転動作している最中に、遊技球が遊技盤１上から遊技盤１の裏側に入り込まないようにされている。
【００１９】
このように、部分遊技盤４０の表裏反転により、流下方向の変更を択一的かつ瞬時に行うことができるので、流下方向の変更の自由度が一層向上する。
また、流下方向の変更を遊技球が入賞口へ入賞しやすい方向と、入賞しにくい方向とに瞬時に変更することができるので、遊技者に対し興趣ある遊技機とすることができる。
また、このような流下方向の選択を、例えば遊技者に対し有利となる特別遊技状態においては遊技球が入賞しやすい方向を選択するなど、遊技状態に対応させて表裏を選択させることにより、遊技の興趣を一層高めることができる。
さらに、該遊技盤面１を透明板で形成することにより、遊技者は、このような部分遊技盤の表裏反転を透明な遊技盤面１を通して観察することができるので、流下方向の変更への期待感を醸成することができるから、遊技の興趣を一層高めることができる。
【００２０】
上記の実施例では、部分遊技盤４０の回転時に回転空間を確保するため、シャッター４７をピニオン機構により駆動する構成としたが、必ずしもこのような駆動機構とする必要はなく、図７、図８に示すシャッター機構とすることもできる。
この実施例では、シャッター４７’は、部分遊技盤４０と平行にスライドすることができるように遊技盤１中に保持されている。また、該シャッター４７’は、部分遊技盤４０の基盤４１’の側端面４１’ａと対向する傾斜面４７’ａを有しており、その傾斜面４７’ａを基盤４１’の側端面４１’ａへと常時押圧するようにバネ部材４７ｂが該シャッター４７’の後端部と遊技盤との間に設けられている（図７では、傾斜面４７’ａと側端面４１’ａとが接触していないように記載されているが、各部の説明を容易にするためにこのように記載したものであって、実際は、通常常態においては、傾斜面４７’ａと側端面４１’ａとはバネ部材４７’の作用によって接触している。）。
このとき、該傾斜面４７’ａは、部分遊技盤４０の回転方向に対して点対称となるように、しかも回転するに伴って部分遊技盤４０の先端部が傾斜面４７’に当接しながらシャッター４７‘をバネ部材４７ｂに抗して押し広げることができるように、その傾斜角度が設定されている。
したがって、部分遊技盤４０を表裏回転させるにあたり、図７に示す状態から部分遊技盤４０を駆動ベルト４４により右回転させると、図８に示すように、部分遊技盤４０の先端部が傾斜面４７’に当接しながらシャッター４７‘をバネ部材４７ｂに抗して押し広げてゆくので、部分遊技盤４０の回動空間がそれに応じて確保されることとなる。
この実施例の場合は、シャッター駆動機構を別途設ける必要がないので、構成を簡便にすることができる。
【００２１】
上記実施例では、部分遊技盤４０は、透明な遊技盤１に設けられているが、遊技盤１は必ずしも透明である必要はなく、通常の遊技盤面であっても良い。このように構成しても、流下方向の変更を択一的かつ瞬時に行うことができるので、流下方向の変更の自由度を一層向上させることができる。
また、部分遊技盤４０の基盤４１も、同様に、必ずしも透明である必要はなく、透明でない場合には、当該遊技機に初めて接する遊技者に対し、遊技盤の一部が突然反転するという新鮮な驚きを提供することができる。
また、上記実施例では、部分遊技盤の表裏に障害釘を配置したが、その表裏つまり第１遊技面と第２遊技面とでは、該部分遊技盤上での遊技球の流下方向が異なるように障害物を設ければよいので、必ずしも障害釘である必要はなく、例えば風車などを適宜に配置することができる。
さらに、上記実施例では、該部分遊技盤は、遊技領域上の始動入賞口の上方に設けたが、配置場所は必ずしも始動入賞口の上方である必要はなく、例えば、中央役物装置の内部に配置し、該中央役物装置の内部に進入してきた遊技球を、遊技状態に応じて適宜表裏を選択することで、遊技者に格別有利にしたり、あるいは不利にしたり任意に設定することができるので、多様なゲームを構成することが可能となる。
【符号の説明】
【００２２】
１    遊技盤
４、３０    液晶表示装置
１０ａ  始動入賞口
１２  風車
１３、４５  障害釘
２０  意匠盤
４０  部分遊技盤
４１  部分遊技基盤
４２  回動軸
４３
４４  駆動ベルト  
４６、４９  モーター
４７、４７’  シャッター
４８  ピニオン軸
５０  庇
５１  ソレノイド
６０  ガラス面
【図１】
2010274052.tif 000003
【図２】
2010274052.tif 000004
【図３】
2010274052.tif 000005
【図４】
2010274052.tif 000006
【図５】
2010274052.tif 000007
【図６】
2010274052.tif 000008
【図７】
2010274052.tif 000009
【図８】
2010274052.tif 000010
【図９】
2010274052.tif 000011